【手続補正書】
【提出日】平成18年8月4日(2006.8.4)
【手続補正１】
【補正対象書類名】特許請求の範囲
【補正対象項目名】全文
【補正方法】変更
【補正の内容】
【特許請求の範囲】
【請求項１】
ガス器具が接続されるガス供給路の流量を検出する流量検出手段と、前記ガス供給路を遮断する遮断手段と、予め定めた流量域を所定流量区分毎に分割し各流量区分に対応する連続使用可能な制限時間を設定するための境界流量値を記憶する境界流量記憶手段と、前記流量検出手段で検出した流量と前記境界流量記憶手段に格納された境界流量値とを比較しどの流量区分に属するかを判定し、該当流量区分に対応する連続使用可能な制限時間を設定すると共に、使用時間を監視して制限時間が経過した場合に前記遮断手段に遮断信号を出力する使用時間判定手段と、前記使用時間判定手段が前記境界流量記憶手段の最小境界流量値以下と判定したとき所定の境界流量値と比較する小流量判定手段とを備え、
検出した流量が前記小流量判定手段の境界流量値以下の場合、所定の制限時間を設定するようにしたガス遮断装置。
【請求項２】
ガス器具が接続されるガス供給路の流量を検出する流量検出手段と、前記ガス供給路を遮断する遮断手段と、予め定めた流量域を所定流量区分毎に分割し各流量区分に対応する連続使用可能な制限時間を設定するための境界流量値を記憶する境界流量記憶手段と、前記流量検出手段で検出した流量と前記境界流量記憶手段に格納された境界流量値とを比較しどの流量区分に属するかを判定し、該当流量区分に対応する連続使用可能な制限時間を設定すると共に、使用時間を監視して制限時間が経過した場合に前記遮断手段に遮断信号を出力する使用時間判定手段と、前記使用時間判定手段が前記境界流量記憶手段の最小境界流量値以下と判定したとき、最小境界流量値より下方に設定した下限流量値と比較する下限流量判定手段とを備え、
検出した流量が前記下限流量判定手段の下限流量値以上の場合、所定の制限時間を設定するようにしたガス遮断装置。
【請求項３】
ガス器具が接続されるガス供給路の流量を検出する流量検出手段と、前記ガス供給路を遮断する遮断手段と、予め定めた流量域を所定流量区分毎に分割し各流量区分に対応する連続使用可能な制限時間を設定するための境界流量値を記憶する境界流量記憶手段と、前記流量検出手段で検出した流量と前記境界流量記憶手段に格納された境界流量値とを比較しどの流量区分に属するかを判定し、該当流量区分に対応する連続使用可能な制限時間を設定すると共に、使用時間を監視して制限時間が経過した場合に前記遮断手段に遮断信号を出力する使用時間判定手段と、前記流量検出手段で検出した流量と前記境界流量記憶手段に格納された最小境界流量値とを比較し、検出した流量が最小境界流量値以下になったとき使用時間のカウントを開始する小流量監視手段と、前記小流量監視手段のカウントが所定の制限時間に達したとき遮断信号を出力するか警告信号を出力するかを切り替える切替手段と、前記警報信号を受けて警報を行う警報手段と、前記切替手段に遮断動作あるいは警告動作の切り替え指示を行う通信設定手段とを備え、
前記通信設定手段により事前に前記切替手段で遮断動作あるいは警告動作が設定されたとき前記小流量監視手段の監視動作を有効とするガス遮断装置。
【請求項４】
ガス器具が接続されるガス供給路の流量を検出する流量検出手段と、前記ガス供給路を遮断する遮断手段と、予め定めた流量域を所定流量区分毎に分割し各流量区分に対応する連続使用可能な制限時間を設定するための境界流量値を記憶する境界流量記憶手段と、前記流量検出手段で検出した流量と前記境界流量記憶手段に格納された境界流量値とを比較しどの流量区分に属するかを判定し、該当流量区分に対応する連続使用可能な制限時間を設定すると共に、使用時間を監視して制限時間が経過した場合に前記遮断手段に遮断信号を出力する使用時間判定手段と、前記使用時間判定手段が前記境界流量記憶手段の最小境界流量値以下と判定したとき所定の境界流量値と比較し、検出した流量が前記所定の境界流量値以下の場合、所定の制限時間を設定する小流量判定手段と、外部に通報する通報手段とを備え、
前記通報手段は、前記小流量判定手段で所定の境界流量値以下が検出され使用時間のカウントが開始されたことを通報する第１の通報手段と、使用時間のカウントが前記小流量判定手段で設定された制限時間に達したことを通報する第２の通報手段よりなるガス遮断装置。
【請求項５】
ガス器具が接続されるガス供給路の流量を検出する流量検出手段と、前記ガス供給路を遮断する遮断手段と、予め定めた流量域を所定流量区分毎に分割し各流量区分に対応する連続使用可能な制限時間を設定するための境界流量値を記憶する境界流量記憶手段と、前記流量検出手段で検出した流量と前記境界流量記憶手段に格納された境界流量値とを比較しどの流量区分に属するかを判定し、該当流量区分に対応する連続使用可能な制限時間を設定すると共に、使用時間を監視して制限時間が経過した場合に前記遮断手段に遮断信号を出力する使用時間判定手段と、前記流量検出手段で検出した流量と前記境界流量記憶手段に格納された最小境界流量値とを比較し、検出した流量が最小境界流量値以下になったとき使用時間のカウントを開始する小流量監視手段と、前記小流量監視手段のカウント値と比較する制限時間を設定する制限時間設定手段と、異常警告信号を受けて警告を行う警告手段とを備え、
前記制限時間設定手段は、異常警告信号を出力する第１の制限時間と遮断信号を出力する第２の制限時間を設定するようにしたガス遮断装置。
【請求項６】
請求項１〜５のいずれか１項記載のガス遮断装置の手段の全てもしくは一部としてコンピュータを機能させるためのプログラム。
【手続補正２】
【補正対象書類名】明細書
【補正対象項目名】００１２
【補正方法】変更
【補正の内容】
【００１２】
前記従来の課題を解決するために本発明は、ガス器具が接続されるガス供給路の流量を検出する流量検出手段と、ガス供給路を遮断する遮断手段と、予め定めた流量域を所定流量区分毎に分割し各流量区分に対応する連続使用可能な制限時間を設定するための境界流量値を記憶する境界流量記憶手段と、流量検出手段で検出した流量と境界流量記憶手段に格納された境界流量値とを比較しどの流量区分に属するかを判定し、該当流量区分に対応する連続使用可能な制限時間を設定すると共に、使用時間を監視して制限時間が経過した場合に遮断手段に遮断信号を出力する使用時間判定手段と、使用時間判定手段が境界流量記憶手段の最小境界流量値以下と判定したとき所定の境界流量値と比較する小流量判定手段とを備え、検出した流量が小流量判定手段の境界流量値以下の場合、所定の制限時間を設定するようにしたものである。
【手続補正３】
【補正対象書類名】明細書
【補正対象項目名】００１３
【補正方法】変更
【補正の内容】
【００１３】
このことにより、流量検出手段で検出した流量値が使用時間遮断の対象となるような最小境界流量未満の流量区分以下の場合、即ち小流量判定手段で設定された境界流量以下と判定した場合最小流量に対応した使用時間の制限時間を使用時間判定手段に設定し使用時間監視し、所定時間を超えた時、遮断信号を遮断手段に出力しガス供給を停止することによりガス需要家が誤って弱火で煮炊きをしているのを忘れて他の家事に夢中になっていても、遮断することでガス需要家に危険に至る前に通知でき、安全性や信頼性が向上する。
【手続補正４】
【補正対象書類名】明細書
【補正対象項目名】００１５
【補正方法】変更
【補正の内容】
【００１５】
請求項１に記載の発明は、ガス器具が接続されるガス供給路の流量を検出する流量検出手段と、前記ガス供給路を遮断する遮断手段と、予め定めた流量域を所定流量区分毎に分割し各流量区分に対応する連続使用可能な制限時間を設定するための境界流量値を記憶する境界流量記憶手段と、前記流量検出手段で検出した流量と前記境界流量記憶手段に格納された境界流量値とを比較しどの流量区分に属するかを判定し、該当流量区分に対応する連続使用可能な制限時間を設定すると共に、使用時間を監視して制限時間が経過した場合に前記遮断手段に遮断信号を出力する使用時間判定手段と、前記使用時間判定手段が前記境界流量記憶手段の最小境界流量値以下と判定したとき所定の境界流量値と比較する小流量判定手段とを備え、検出した流量が前記小流量判定手段の境界流量値以下の場合、所定の制限時間を設定するようにしたものである。
【手続補正５】
【補正対象書類名】明細書
【補正対象項目名】００１７
【補正方法】変更
【補正の内容】
【００１７】
請求項２に記載の発明は、ガス器具が接続されるガス供給路の流量を検出する流量検出手段と、前記ガス供給路を遮断する遮断手段と、予め定めた流量域を所定流量区分毎に分割し各流量区分に対応する連続使用可能な制限時間を設定するための境界流量値を記憶する境界流量記憶手段と、前記流量検出手段で検出した流量と前記境界流量記憶手段に格納された境界流量値とを比較しどの流量区分に属するかを判定し、該当流量区分に対応する連続使用可能な制限時間を設定すると共に、使用時間を監視して制限時間が経過した場合に前記遮断手段に遮断信号を出力する使用時間判定手段と、前記使用時間判定手段が前記境界流量記憶手段の最小境界流量値以下と判定したとき、最小境界流量値より下方に設定した下限流量値と比較する下限流量判定手段とを備え、検出した流量が前記下限流量判定手段の下限流量値以上の場合、所定の制限時間を設定するようにしたものである。
【手続補正６】
【補正対象書類名】明細書
【補正対象項目名】００１９
【補正方法】変更
【補正の内容】
【００１９】
請求項３に記載の発明は、ガス器具が接続されるガス供給路の流量を検出する流量検出手段と、前記ガス供給路を遮断する遮断手段と、予め定めた流量域を所定流量区分毎に分割し各流量区分に対応する連続使用可能な制限時間を設定するための境界流量値を記憶する境界流量記憶手段と、前記流量検出手段で検出した流量と前記境界流量記憶手段に格納された境界流量値とを比較しどの流量区分に属するかを判定し、該当流量区分に対応する連続使用可能な制限時間を設定すると共に、使用時間を監視して制限時間が経過した場合に前記遮断手段に遮断信号を出力する使用時間判定手段と、前記流量検出手段で検出した流量と前記境界流量記憶手段に格納された最小境界流量値とを比較し、検出した流量が最小境界流量値以下になったとき使用時間のカウントを開始する小流量監視手段と、前記小流量監視手段のカウントが所定の制限時間に達したとき遮断信号を出力するか警告信号を出力するかを切り替える切替手段と、前記警報信号を受けて警報を行う警報手段と、前記切替手段に遮断動作あるいは警告動作の切り替え指示を行う通信設定手段とを備え、
前記通信設定手段により事前に前記切替手段で遮断動作あるいは警告動作が設定されたとき前記小流量監視手段の監視動作を有効とするものである。
【手続補正７】
【補正対象書類名】明細書
【補正対象項目名】００２１
【補正方法】変更
【補正の内容】
【００２１】
請求項４に記載の発明は、ガス器具が接続されるガス供給路の流量を検出する流量検出手段と、前記ガス供給路を遮断する遮断手段と、予め定めた流量域を所定流量区分毎に分割し各流量区分に対応する連続使用可能な制限時間を設定するための境界流量値を記憶する境界流量記憶手段と、前記流量検出手段で検出した流量と前記境界流量記憶手段に格納された境界流量値とを比較しどの流量区分に属するかを判定し、該当流量区分に対応する連続使用可能な制限時間を設定すると共に、使用時間を監視して制限時間が経過した場合に前記遮断手段に遮断信号を出力する使用時間判定手段と、前記使用時間判定手段が前記境界流量記憶手段の最小境界流量値以下と判定したとき所定の境界流量値と比較し、検出した流量が前記所定の境界流量値以下の場合、所定の制限時間を設定する小流量判定手段と、外部に通報する通報手段とを備え、前記通報手段は、前記小流量判定手段で所定の境界流量値以下が検出され使用時間のカウントが開始されたことを通報する第１の通報手段と、使用時間のカウントが前記小流量判定手段で設定された制限時間に達したことを通報する第２の通報手段よりなるものである。
【手続補正８】
【補正対象書類名】明細書
【補正対象項目名】００２３
【補正方法】変更
【補正の内容】
【００２３】
請求項５に記載の発明は、ガス器具が接続されるガス供給路の流量を検出する流量検出手段と、前記ガス供給路を遮断する遮断手段と、予め定めた流量域を所定流量区分毎に分割し各流量区分に対応する連続使用可能な制限時間を設定するための境界流量値を記憶する境界流量記憶手段と、前記流量検出手段で検出した流量と前記境界流量記憶手段に格納された境界流量値とを比較しどの流量区分に属するかを判定し、該当流量区分に対応する連続使用可能な制限時間を設定すると共に、使用時間を監視して制限時間が経過した場合に前記遮断手段に遮断信号を出力する使用時間判定手段と、前記流量検出手段で検出した流量と前記境界流量記憶手段に格納された最小境界流量値とを比較し、検出した流量が最小境界流量値以下になったとき使用時間のカウントを開始する小流量監視手段と、前記小流量監視手段のカウント値と比較する制限時間を設定する制限時間設定手段と、異常警告信号を受けて警告を行う警告手段とを備え、前記制限時間設定手段は、異常警告信号を出力する第１の制限時間と遮断信号を出力する第２の制限時間を設定するようにしたものである。